(57)【特許請求の範囲】
【請求項１】
金融機関名義の預金口座である送金元口座の口座識別子からなる通過識別子、支払人の顧客識別子、返金条件を関連付けて記憶した通過情報記憶部と、
海外金融機関システムと通信を行なう銀行ホストシステム、支払人のユーザ端末に接続された制御部とを備えた送金支援システムであって、
前記制御部が、
前記ユーザ端末から、支払人から送金された資金を一時的に保存する預金口座の通過識別子及び受取人口座の口座識別子毎の支払金額に関する情報を含む支払データを受信し、
前記通過情報記憶部を用いて、前記支払データに含まれる通過識別子に関連付けられた顧客識別子を特定し、
前記海外金融機関システムから、前記通過識別子を含む入金データを受信した前記銀行ホストシステムに対して、前記入金データに対応した送金目的に基づいて、前記通過識別子に対応した送金元口座から、前記通過情報記憶部の前記顧客識別子を支払人名として設定した複数の振込電文を生成し、前記支払データに含まれる受取人口座に対する振込指示を行ない、
前記振込指示の振込結果の取得後に、前記通過情報記憶部において、通過識別子に関連付けられた返金条件の要素を特定し、前記通過識別子の送金元口座の要素が、前記返金条件を満たす場合に、前記送金元口座の残高の返金処理を実行することを特徴とする送金支援システム。
【請求項２】
前記制御部が、
前記送金元口座の残高と、前記支払データに含まれる支払金額とを比較し、
前記支払金額に対して残高不足の場合には、前記通過識別子に関連付けられた支払人のユーザ端末に連絡することを特徴とする請求項１に記載の送金支援システム。
【請求項３】
前記返金条件には、送金元口座の残高に関する情報が含まれており、
前記制御部が、前記送金元口座の残高を特定し、前記残高に応じて返金処理を実行することを特徴とする請求項１又は２に記載の送金支援システム。
【請求項４】
金融機関名義の預金口座である送金元口座の口座識別子からなる通過識別子、支払人の
顧客識別子、返金条件を関連付けて記憶した通過情報記憶部と、
海外金融機関システムと通信を行なう銀行ホストシステム、支払人のユーザ端末に接続された制御部とを備えた送金支援システムを用いて、送金を支援する方法であって、
前記制御部が、
前記ユーザ端末から、支払人から送金された資金を一時的に保存する預金口座の通過識別子及び受取人口座の口座識別子毎の支払金額に関する情報を含む支払データを受信し、
前記通過情報記憶部を用いて、前記支払データに含まれる通過識別子に関連付けられた顧客識別子を特定し、
前記海外金融機関システムから、前記通過識別子を含む入金データを受信した前記銀行ホストシステムに対して、前記入金データに対応した送金目的に基づいて、前記通過識別子に対応した送金元口座から、前記通過情報記憶部の前記顧客識別子を支払人名として設定した複数の振込電文を生成し、前記支払データに含まれる受取人口座に対する振込指示を行ない、
前記振込指示の振込結果の取得後に、前記通過情報記憶部において、通過識別子に関連付けられた返金条件の要素を特定し、前記通過識別子の送金元口座の要素が、前記返金条件を満たす場合に、前記送金元口座の残高の返金処理を実行することを特徴とする送金支援方法。
【請求項５】
金融機関名義の預金口座である送金元口座の口座識別子からなる通過識別子、支払人の顧客識別子、返金条件を関連付けて記憶した通過情報記憶部と、
海外金融機関システムと通信を行なう銀行ホストシステム、支払人のユーザ端末に接続された制御部とを備えた送金支援システムを用いて、送金を支援するプログラムであって、
前記制御部を、
前記ユーザ端末から、支払人から送金された資金を一時的に保存する預金口座の通過識別子及び受取人口座の口座識別子毎の支払金額に関する情報を含む支払データを受信し、
前記通過情報記憶部を用いて、前記支払データに含まれる通過識別子に関連付けられた顧客識別子を特定し、
前記海外金融機関システムから、前記通過識別子を含む入金データを受信した前記銀行ホストシステムに対して、前記入金データに対応した送金目的に基づいて、前記通過識別子に対応した送金元口座から、前記通過情報記憶部の前記顧客識別子を支払人名として設定した複数の振込電文を生成し、前記支払データに含まれる受取人口座に対する振込指示を行ない、
前記振込指示の振込結果の取得後に、前記通過情報記憶部において、通過識別子に関連付けられた返金条件の要素を特定し、前記通過識別子の送金元口座の要素が、前記返金条件を満たす場合に、前記送金元口座の残高の返金処理を実行する手段として機能させることを特徴とする送金支援プログラム。
【発明の詳細な説明】
【技術分野】
【０００１】
本発明は、海外からの送金を支援するための送金支援システム、送金支援方法及び送金支援プログラムに関する。
【背景技術】
【０００２】
海外の銀行から、国内の顧客宛の支払指図を送金電文により受信する場合、送金銀行のコルレス口座から送金金額を引き落とし、顧客口座に入金する。このような被仕向送金においては、国際標準化機構によって標準化されたフォーマットを用いて作成された送金電文を、国際銀行間通信システム（ＳＷＩＦＴ：The Society for Worldwide Interbank Financial Tele-communication）を介して受信する（例えば、特許文献１参照）。この技術では、仕向側の送金サーバは、顧客から海外送金に必要な情報を受信すると、必要事項を元に送金電文を生成する。そして、生成した送金電文に基づいて、ＳＷＩＦＴ（登録商標）ネットワークを経由して、被仕向側の送金サーバに送信する。被仕向側の送金サーバは、受信した送金電文を解読し、送金電文に含まれる送金情報に基づいて、送金先の被仕向側の顧客口座への入金処理を実行する。被仕向側の送金サーバは、入金処理が完了すると、ＳＷＩＦＴネットワークとは別の行内ネットワーク経由で、国、地域ごとの金融機関の拠点のシステム間のデータ連携のハブとなるデータ連携サーバに入金処理完了通知を送信する。これを受けてデータ連携サーバは、上記の行内ネットワーク経由で、受信した入金処理完了通知を仕向側である送金サーバへ送信する。
【先行技術文献】
【特許文献】
【０００３】
【特許文献１】特開２０１６−１２２２６５号公報
【発明の概要】
【発明が解決しようとする課題】
【０００４】
国内金融機関に口座を保有している企業の場合には、この口座から、国内の受取人に対して、口座振込を行なうことができる。一方、国内に口座を保有しない海外企業が、国内の受取人に支払を行なう場合、外国為替送金を用いる必要がある。この場合、外国為替送金における負担が大きい。
【課題を解決するための手段】
【０００５】
上記課題を解決する送金支援システムは、通過識別子、顧客識別子を関連付けて記憶した通過情報記憶部と、海外金融機関システムと通信を行なう銀行ホストシステム、ユーザ端末に接続された制御部とを備える。そして、前記制御部が、前記海外金融機関システムから、通過識別子を含む入金データを受信し、前記ユーザ端末から、前記通過情報記憶部を用いて、前記支払データに含まれる通過識別子に関連付けられた顧客識別子を特定し、前記海外金融機関システムから、前記通過識別子を含む入金データを受信した前記銀行ホストシステムに対して、前記通過情報記憶部において、前記入金データに対応した送金目的に基づいて、前記通過識別子に対応した送金元口座から、前記顧客識別子を支払人名として設定して、前記支払データに含まれる受取人口座に対する振込指示を行なう。
【発明の効果】
【０００６】
本発明によれば、国内金融機関に口座を有さない在外者から、国内在住者に対して、効率的かつ的確な送金を支援することができる。
【図面の簡単な説明】
【０００７】
【図１】本実施形態のシステム概略図。
【図２】ハードウェア構成例の説明図。
【図３】本実施形態で用いるデータの説明図であって、（ａ）は通過情報記憶部、（ｂ）は支払情報記憶部、（ｃ）は入金情報記憶部の説明図。
【図４】本実施形態の処理手順の説明図。
【図５】本実施形態の処理手順の説明図。
【発明を実施するための形態】
【０００８】
以下、図１〜図５を用いて、送金支援システム、送金支援方法及び送金支援プログラムを具体化した一実施形態を説明する。本実施形態では、海外金融機関から送金依頼を受け取り、国内の受取人が保有する口座に入金するサービスを提供する場合を想定する。
【０００９】
図１に示すように、本実施形態の送金支援方法においては、ネットワークを介して相互に接続された海外金融機関システム１０、ユーザ端末１５、管理サーバ２０、銀行ホストシステム３０を用いる。
【００１０】
（ハードウェア構成例）
図２は、海外金融機関システム１０、ユーザ端末１５、管理サーバ２０、銀行ホストシステム３０等として機能する情報処理装置Ｈ１０のハードウェア構成例である。
【００１１】
情報処理装置Ｈ１０は、通信装置Ｈ１１、入力装置Ｈ１２、表示装置Ｈ１３、記憶部Ｈ１４、プロセッサＨ１５を有する。なお、このハードウェア構成は一例であり、他のハードウェアを有していてもよい。
【００１２】
通信装置Ｈ１１は、他の装置との間で通信経路を確立して、データの送受信を実行するインタフェースであり、例えばネットワークインタフェースカードや無線インタフェース等である。
【００１３】
入力装置Ｈ１２は、利用者等からの入力を受け付ける装置であり、例えばマウスやキーボード等である。表示装置Ｈ１３は、各種情報を表示するディスプレイやタッチパネル等である。
【００１４】
記憶部Ｈ１４は、海外金融機関システム１０、ユーザ端末１５、管理サーバ２０、銀行ホストシステム３０の各種機能を実行するためのデータや各種プログラムを格納する記憶装置（例えば、後述する通過情報記憶部２２、支払情報記憶部２３、口座情報記憶部３２、入金情報記憶部３３）である。記憶部Ｈ１４の一例としては、ＲＯＭ、ＲＡＭ、ハードディスク等がある。
【００１５】
プロセッサＨ１５は、記憶部Ｈ１４に記憶されるプログラムやデータを用いて、管理サーバ２０、銀行ホストシステム３０等として機能する情報処理装置Ｈ１０における各処理（例えば、後述する制御部２１における処理）を制御する。プロセッサＨ１５の一例としては、例えばＣＰＵやＭＰＵ等がある。このプロセッサＨ１５は、ＲＯＭ等に記憶されるプログラムをＲＡＭに展開して、各種処理に対応する各種プロセスを実行する。例えば、プロセッサＨ１５は、海外金融機関システム１０、ユーザ端末１５、管理サーバ２０、銀行ホストシステム３０のアプリケーションプログラムが起動された場合、後述する各処理を実行するプロセスを動作させる。
【００１６】
プロセッサＨ１５は、自身が実行するすべての処理についてソフトウェア処理を行うものに限られない。例えば、プロセッサＨ１５は、自身が実行する処理の少なくとも一部についてハードウェア処理を行う専用のハードウェア回路（例えば、特定用途向け集積回路：ＡＳＩＣ）を備えてもよい。すなわち、プロセッサＨ１５は、（１）コンピュータプログラム（ソフトウェア）に従って動作する１つ以上のプロセッサ、（２）各種処理のうち少なくとも一部の処理を実行する１つ以上の専用のハードウェア回路、或いは（３）それらの組み合わせ、を含む回路（circuitry）として構成し得る。プロセッサは、ＣＰＵ並びに、ＲＡＭ及びＲＯＭ等のメモリを含み、メモリは、処理をＣＰＵに実行させるように構成されたプログラムコード又は指令を格納している。メモリすなわちコンピュータ可読媒体は、汎用又は専用のコンピュータでアクセスできるあらゆる利用可能な媒体を含む。
【００１７】
（各情報処理装置の機能）
図１に示す海外金融機関システム１０は、送金を行なうために海外金融機関が保有するコンピュータシステムである。この海外金融機関システム１０は、ＳＷＩＦＴネットワークを介して、銀行ホストシステム３０に接続される。
【００１８】
ユーザ端末１５は、送金依頼を行なう顧客が保有するコンピュータ端末である。このユーザ端末１５は、インターネット等のネットワークを介して、管理サーバ２０に接続される。
【００１９】
管理サーバ２０は、海外の送金人から国内の受取人への送金サービスを支援するコンピュータシステムである。この管理サーバ２０は、制御部２１、通過情報記憶部２２、支払情報記憶部２３を備える。
【００２０】
制御部２１は、送金支援プログラムを実行することにより、支払管理部２１１、返金管理部２１２として機能する。
支払管理部２１１は、ユーザ端末１５から、インターネットを介して、支払データを受信し、振込を行なう処理を実行する。
返金管理部２１２は、海外金融機関システム１０への返金を管理する処理を実行する。
【００２１】
図３（ａ）に示すように、通過情報記憶部２２には、入金データと支払データとを関連付ける口座を管理するための通過管理レコード２２０が記録される。この通過管理レコード２２０は、通過口座が設定された場合に記録される。通過管理レコード２２０には、通過識別子、顧客名、送金目的、返金条件に関する情報が記録される。
【００２２】
通過識別子データ領域には、海外の支払人から送金された資金を一時的に保存する口座を特定するための識別子（銀行識別子、本支店識別子、預金種別識別子、口座番号）に関するデータが記録される。本実施形態では、この通過口座として、自行名義の普通預金口座を用いる。
【００２３】
顧客名データ領域には、この通過口座を利用する海外顧客を特定するための名称（顧客識別子）に関するデータが記録される。
送金目的データ領域には、この通過口座を利用する送金の目的に関するデータが記録される。この送金目的は、「海外」からの送金において管理が必要な送金目的が記録される。
【００２４】
返金条件データ領域には、この支払人に返金を行なう条件に関するデータが記録される。返金条件には、返金要否を判断するための要素が含まれる。この要素としては、例えば、振込不能件数、振込不能金額、返金を行なう時期、返金額の算出方法等を用いることができる。
【００２５】
図３（ｂ）に示すように、支払情報記憶部２３には、ユーザ端末１５から、インターネットを介して受信した支払データに関する支払管理レコード２３０が記録される。支払管理レコード２３０は、支払データを受信した場合に記録される。支払管理レコード２３０には、通過識別子、受取人口座、支払金額、連絡先、送金結果に関するデータが記録される。
【００２６】
通過識別子データ領域には、海外の支払人からの送金を包括的に特定するための識別子に関するデータが記録される。本実施形態では、通過口座の口座識別子を用いる。
受取人口座データ領域には、受取人の口座を特定するための識別子（銀行識別子、本支店識別子、預金種別識別子、口座番号）に関するデータが記録される。
【００２７】
支払金額データ領域には、受取人口座に入金する金額に関するデータが記録される。
連絡先データ領域には、この支払人のユーザ端末１５の連絡先（アドレス）に関するデータが記録される。
【００２８】
送金結果データ領域には、この支払に関する送金結果を特定するためのフラグが記録される。送金を完了した場合には、完了年月日が記録され、通過口座の残高不足により送金できなかった場合には、残高不足フラグが記録される。また、受取人口座を特定できなかった場合には、振込不能フラグが記録される。
【００２９】
銀行ホストシステム３０は、金融機関の顧客（支払人や受取人）の口座を管理する国内金融機関のコンピュータシステムである。この金融機関には、自行のみならず、他行も含まれる。この銀行ホストシステム３０は、制御部３１、口座情報記憶部３２、入金情報記憶部３３を備える。
【００３０】
制御部３１は、口座処理プログラムを実行することにより、口座管理部３１１、入金管理部３１２として機能する。
口座管理部３１１は、銀行に開設された口座を管理する処理を実行する。
入金管理部３１２は、海外金融機関システム１０から、ＳＷＩＦＴネットワークを介して、入金データ等を送受信する処理を実行する。
【００３１】
口座情報記憶部３２には、金融機関に開設された口座を管理するための口座管理情報が記録される。この口座管理情報には、口座識別子、口座名義人、残高、入出金履歴が記録される。
【００３２】
口座識別子データ領域には、金融機関に開設された口座を特定するための識別子（銀行識別子、本支店識別子、預金種別識別子、口座番号）に関するデータが記録される。本実施形態では、金融機関に開設された口座の中には通過口座も含まれる。
口座名義人データ領域には、この口座の名義人（支払人や受取人）を特定するための識別子に関するデータが記録される。本実施形態では、通過口座は銀行名義とする。
残高データ領域には、この口座の残高に関するデータが記録される。
入出金履歴データ領域には、この口座への入金や、この口座からの出金の履歴情報が記録される。
【００３３】
図３（ｃ）に示すように、入金情報記憶部３３には、海外金融機関システム１０から、ＳＷＩＦＴネットワークを介して受信した入金データに関する入金管理レコード３３０が記録される。入金管理レコード３３０は、入金データを受信した場合に記録される。入金管理レコード３３０には、送金元口座、送金先口座、送金金額、送金目的に関するデータが記録される。
【００３４】
送金元口座データ領域には、海外金融機関システム１０からの送金元の口座を特定するための識別子に関するデータが記録される。
送金先口座データ領域には、海外金融機関システム１０からの送金先の口座を特定するための識別子に関するデータが記録される。
送金金額データ領域には、海外の支払人から送金された金額に関するデータが記録される。
送金目的データ領域には、この送金の目的に関するデータが記録される。
【００３５】
（支払管理処理）
次に、図４を用いて、支払管理処理を説明する。通過口座を利用する場合には、銀行ホストシステム３０において、支払人及び送金目的に応じて、銀行名義の通過口座を開設する。そして、管理サーバ２０において、通過識別子、顧客名、送金目的、返金条件を記録した通過管理レコード２２０を生成し、通過情報記憶部２２に記録する。
【００３６】
まず、銀行ホストシステム３０の制御部３１は、振込代り金の入金処理を実行する（ステップＳ１−１）。具体的には、制御部３１の入金管理部３１２は、ＳＷＩＦＴネットワークを介して、入金データを受信する。この入金データには、ＳＷＩＦＴフォーマットに従って、送金元口座、送金先口座、送金金額、送金目的に関するデータが含まれる。なお、入金データには、送金目的を含まない場合もある。そして、入金管理部３１２は、入金データに含まれる情報を記録した入金管理レコード３３０を生成し、入金情報記憶部３３に記録する。次に、口座管理部３１１は、送金先口座へ、送金金額の入金のための処理を行なう。本サービスを利用する場合には、送金先口座としての通過口座に入金される。
【００３７】
また、管理サーバ２０の制御部２１は、送金目的に応じた支払データの受信処理を実行する（ステップＳ１−２）。具体的には、制御部２１の支払管理部２１１は、インターネットを介して、支払データを受信する。この支払データには、通過識別子、受取人口座、支払金額に関するデータが含まれる。複数の受取人が存在する複数の支払（例えば、数千件）の場合には、受取人口座毎に支払金額を設定しておく。そして、支払管理部２１１は、支払データに含まれる情報を記録した支払管理レコード２３０を生成し、支払情報記憶部２３に記録する。この段階では、支払管理レコード２３０の送金結果データ領域は空欄とする。
【００３８】
次に、管理サーバ２０の制御部２１は、支払毎に以下の処理を繰り返す。
ここでは、管理サーバ２０の制御部２１は、通過口座の特定処理を実行する（ステップＳ１−３）。具体的には、制御部２１の支払管理部２１１は、支払管理レコード２３０に含まれる通過識別子を用いて、通過口座を特定する。
【００３９】
次に、管理サーバ２０の制御部２１は、通過口座の残高チェック処理を実行する（ステップＳ１−４）。具体的には、制御部２１の支払管理部２１１は、特定した通過口座の残高を、銀行ホストシステム３０から取得する。
【００４０】
次に、管理サーバ２０の制御部２１は、残高は十分かどうかについての判定処理を実行する（ステップＳ１−５）。具体的には、制御部２１の支払管理部２１１は、通過口座の残高と、支払管理レコード２３０に含まれる支払金額とを比較する。そして、残高が支払金額以上の場合には、残高は十分と判定する。
【００４１】
残高は十分と判定した場合（ステップＳ１−５において「ＹＥＳ」の場合）、管理サーバ２０の制御部２１は、振込電文の作成処理を実行する（ステップＳ１−６）。具体的には、制御部２１の支払管理部２１１は、通過情報記憶部２２から、通過識別子の通過管理レコード２２０に記録された顧客名を取得する。そして、支払管理部２１１は、国内送金のための振込電文を生成する。この振込電文には、仕向口座欄には通過口座の口座識別子、振込人欄には顧客名、被仕向口座欄には受取人口座の識別子、振込金額欄には支払金額を設定する。そして、支払管理部２１１は、作成した振込電文を銀行ホストシステム３０に送信する。これにより、銀行ホストシステム３０は、送金処理を実行する。
【００４２】
次に、管理サーバ２０の制御部２１は、振込結果の記録処理を実行する（ステップＳ１−７）。具体的には、制御部２１の支払管理部２１１は、銀行ホストシステム３０から、振込結果を取得する。この振込結果には、受取人口座への振込完了又は振込不能を特定するための情報が含まれる。振込結果に振込完了情報が含まれる場合には、支払管理部２１１は、支払管理レコード２３０の送金結果データ領域に完了日を記録する。一方、振込不能情報が含まれる場合には、支払管理部２１１は、支払管理レコード２３０の送金結果データ領域に、振込不能フラグを記録する。
【００４３】
一方、残高が送金金額未満のため、残高が十分でないと判定した場合（ステップＳ１−５において「ＮＯ」の場合）、管理サーバ２０の制御部２１は、エラー処理を実行する（ステップＳ１−８）。具体的には、制御部２１の支払管理部２１１は、支払管理レコード２３０の送金結果データ領域に、残高不足フラグを記録する。
管理サーバ２０の制御部２１は、以上の処理を、支払毎に繰り返す。
【００４４】
次に、管理サーバ２０の制御部２１は、振込結果データの返信処理を実行する（ステップＳ１−９）。具体的には、制御部２１の支払管理部２１１は、支払情報記憶部２３から、通過識別子が記録された支払管理レコード２３０の送金結果を取得する。そして、支払管理部２１１は、受取人口座識別子に関連付けて送金結果を記録した振込結果データを生成する。なお、支払データに、複数の受取人に対する複数の支払が含まれる場合には、まとめて振込結果データを生成する。そして、支払管理部２１１は、支払人のユーザ端末１５のアドレスを特定し、振込結果データを送信する。なお、振込結果データの返信は、支払人のアドレスに対して送信する場合に限定されるものではない。例えば、特定のサーバに振込結果データをアップロードして、受取人の認証処理後に、ダウンロードできるようにしてもよい。
【００４５】
（返金管理処理）
次に、図５を用いて、返金管理処理を説明する。
まず、管理サーバ２０の制御部２１は、支払状況の特定処理を実行する（ステップＳ２−１）。具体的には、制御部２１の返金管理部２１２は、支払情報記憶部２３において、支払が行なわれていない支払管理レコード２３０を検索する。ここでは、支払情報記憶部２３において、振込不能フラグが記録された支払管理レコード２３０を特定する。
【００４６】
次に、管理サーバ２０の制御部２１は、返金要否判断処理を実行する（ステップＳ２−２）。具体的には、制御部２１の返金管理部２１２は、通過情報記憶部２２から、返金条件を取得する。そして、返金管理部２１２は、返金条件を判断するための要素を特定し、この要素に関わる状況情報を取得する。要素として振込不能件数が設定されている場合には、支払不能フラグが記録された支払管理レコード２３０のレコード数を算出する。要素として振込不能金額が設定されている場合には、支払不能フラグが記録された支払管理レコード２３０の支払金額の合計額を算出する。要素として返金時期が設定されている場合には、現在年月日と比較する。
【００４７】
次に、管理サーバ２０の制御部２１は、返金が必要かどうかについての判定処理を実行する（ステップＳ２−３）。具体的には、制御部２１の返金管理部２１２は、状況情報が返金条件を満足する場合には、返金が必要と判定する。
【００４８】
返金が必要と判定した場合（ステップＳ２−３において「ＹＥＳ」の場合）、管理サーバ２０の制御部２１は、振込不能の残高の返金処理を実行する（ステップＳ２−４）。具体的には、制御部２１の返金管理部２１２は、返金条件に応じて返金額を算出し、通過口座の残高についての送金指示を銀行ホストシステム３０に送信する。この場合、制御部３１の入金管理部３１２は、支払人口座に送金する。
【００４９】
一方、状況情報が返金条件を満足せず、返金は不要と判定した場合（ステップＳ２−３において「ＮＯ」の場合）、管理サーバ２０の制御部２１は、振込不能の残高の返金処理（ステップＳ２−４）をスキップして、返金管理処理を終了する。
【００５０】
本実施形態によれば、以下のような効果を得ることができる。
（１）本実施形態では、通過情報記憶部２２には、入金データと支払データとを関連付ける口座を管理するための通過管理レコード２２０が記録される。この通過管理レコードには、通過識別子、顧客名、送金目的、返金条件に関する情報が記録される。海外の支払人は、この通過識別子を用いて、国内の受取人に支払いを行なうことができる。従って、支払人が、国内の金融機関に口座を保有する手間を省くことができる。更に、通過口座は、支払人及び送金目的毎に設定されるため、異なる支払人や送金目的を区別して的確に管理することができる。
【００５１】
（２）本実施形態では、管理サーバ２０の制御部２１は、通過口座の特定処理を実行する（ステップＳ１−３）。管理サーバ２０の制御部２１は、残高は十分かどうかについての判定処理を実行する（ステップＳ１−５）。残高は十分と判定した場合（ステップＳ１−５において「ＹＥＳ」の場合）、管理サーバ２０の制御部２１は、振込電文の作成処理を実行する（ステップＳ１−６）。これにより、一つの入金データにより受け取った資金について、支払データを用いて、複数の受取人に対して送金を行なうことができる。
【００５２】
（３）本実施形態では、支払管理部２１１は、国内送金のための振込電文を生成する。この振込電文には、仕向口座欄には通過口座の口座識別子、振込人欄には顧客名、被仕向口座欄には受取人口座の識別子、振込金額欄には支払金額を設定する。これにより、通過口座を用いながら、海外の顧客名で振込を行なうことができる。
【００５３】
（４）本実施形態では、管理サーバ２０の制御部２１は、振込結果データの返信処理を実行する（ステップＳ１−９）。これにより、支払人は支払状況を把握することができる。
【００５４】
（５）本実施形態では、管理サーバ２０の制御部２１は、返金要否判断処理を実行する（ステップＳ２−２）。これにより、返金条件に応じて、支払人に返金を行なうことができる。例えば、支払に対して多額の口座残高が維持されている場合には、状況に応じて返金を行なうことができる。また、受取人口座の不備により、振込をできない場合にも、支払人に対して、状況に応じて、効率的に返金を行なうことができる。
【００５５】
本実施形態は、以下のように変更して実施することができる。本実施形態及び以下の変更例は、技術的に矛盾しない範囲で互いに組み合わせて実施することができる。
・上記実施形態では、通過識別子として、海外の支払人から送金された資金を一時的に保存する口座を特定するための識別子を用いる。通過識別子は、通過口座の口座識別子に限定されるものではない。例えば、各入金を送金目的毎に特定できる識別子を用いて、送金元口座を特定してもよい。
【００５６】
・上記実施形態では、通過口座として、自行名義の普通預金口座を用いるが、名義人や預金種別はこれに限定されるものではない。
・上記実施形態では、振込不能と判定した場合（ステップＳ２−１において「ＹＥＳ」の場合）、管理サーバ２０の制御部２１は、返金要否判断処理を実行する（ステップＳ２−２）。返金方法は、これに限定されるものではない。例えば、振込不能の発生毎に支払人に返金の要否を確認するようにしてもよい。
【００５７】
・上記実施形態では、通過情報記憶部２２の通過管理レコード２２０には、通過識別子、顧客名、送金目的、返金条件に関する情報が記録される。通過情報記憶部２２に記録される情報は、これらに限定されるものではない。例えば、送金目的や返金条件を通過情報記憶部２２に記録しないようにしてもよい。この場合には、管理サーバ２０の制御部２１は、送金目的に限定されることなく、通過口座に入金を行なう。そして、管理サーバ２０の制御部２１は、受取人から送金目的を取得し、この送金目的に応じて送金を行なう。また、返金条件についても、送金人から要請があった場合に返金するようにしてもよい。
また、返金条件として、通過口座の口座残高を用いてもよい。例えば、通過口座の口座残高が基準額以上で、所定期間、維持されている場合には、返金してもよい。また、送金結果データ領域が空欄や残高不足フラグが記録された未支払の支払管理レコード２３０を特定し、未支払の支払金額の合計額と口座残高との差額が基準額以上を返金条件として用いてもよい。
【００５８】
・上記実施形態では、管理サーバ２０の制御部２１は、通過口座の残高チェック処理（ステップＳ１−４）、残高は十分かどうかについての判定処理（ステップＳ１−５）を実行する。そして、残高は十分と判定した場合（ステップＳ１−５において「ＹＥＳ」の場合）、管理サーバ２０の制御部２１は、振込電文の作成処理を実行する（ステップＳ１−６）。これに代えて、管理サーバ２０の制御部２１が、通過口座の残高チェック処理を行なうことなく、振込電文の作成処理（ステップＳ１−６）を実行するようにしてもよい。そして、通過口座の残高不足の場合には、銀行ホストシステム３０から残高不足による振込不能情報を取得する。
【符号の説明】
【００５９】
１０…海外金融機関システム、１５…ユーザ端末、２０…管理サーバ、２１…制御部、２１１…海外送金部、２１２…支払管理部、２２…通過情報記憶部、２３…支払情報記憶部、３０…銀行ホストシステム、３１…制御部、３１１…口座管理部、３１２…入金管理部、３２…口座情報記憶部、３３…入金情報記憶部。
【要約】
【課題】海外からの送金を支援するための送金支援システム、送金支援方法及び送金支援プログラムを提供する。
【解決手段】管理サーバ２０は、ユーザ端末１５から、通過識別子及び受取人口座の口座識別子、支払金額に関する情報を含む支払データを受信し、通過情報記憶部２２を用いて、支払データに含まれる通過識別子に関連付けられた顧客識別子を特定し、海外金融機関システム１０から、通過識別子を含む入金データを受信した銀行ホストシステム３０に対して、入金データに対応した送金目的に基づいて、通過情報記憶部２２の顧客識別子を支払人名として設定して、通過識別子に対応した送金元口座から、支払データに含まれる受取人口座に対する振込指示を行なう。
【選択図】図１【図１】
0006839247.tif 000002
【図２】
0006839247.tif 000003
【図３】
0006839247.tif 000004
【図４】
0006839247.tif 000005
【図５】
0006839247.tif 000006